(57)【要約】  【課題】  ケース内部に収容するバスバーを誤挿入することなく確実に正規位置に挿入して、バスバー同士の接触不良を防止する。  【解決手段】  電気接続箱のケース内部に、細幅としたヒューズ部を一体的に設けた第１バスバーと第２バスバーを備え、第１バスバーはＬ形状に屈曲させた先端側にボルト穴を穿設した電源接続部を設けている一方、第２バスバーのボルト穴を穿設した電源接続部は第１バスバーの電源接続部の外面側に重ねられ、電源線に接続された端子とボルト締め結合されるものであって、第２バスバーの電源接続部の両面に当接して挟持固定するリブをケース内部に一体的に突設し、第２バスバーがケース内部に先入れされた状態で第１バスバーをケース内部に挿入する際に、該第１バスバーの電源接続部が第２バスバーの電源接続部を跨いで、該第１バスバーの電源接続部の内面側に第２バスバーの電源接続部を位置させない構成としている。  【選択図】  図１
2006042499.tif 000002
【特許請求の範囲】
【請求項１】
電気接続箱のケース内部に、細幅としたヒューズ部を一体的に設けた第１バスバーと第２バスバーを備え、前記第１バスバーはＬ形状に屈曲させた先端側にボルト穴を穿設した電源接続部を設けている一方、第２バスバーのボルト穴を穿設した電源接続部は前記第１バスバーの電源接続部の外面側に重ねられ、電源線に接続された端子とボルト締め結合されるものであって、
前記第２バスバーの電源接続部の両面に当接して挟持固定するリブを前記ケース内部に一体的に突設し、もしくは、前記第１バスバーの電源接続部が当接される前記第２バスバーの電源接続部の当接面に当接するリブを前記ケース内部に一体的に突設すると共に、前記第２バスバーの上端を前記当接面と反対側に屈曲させ、
第２バスバーが前記ケース内部に先入れされた状態で第１バスバーをケース内部に挿入する際に、該第１バスバーの電源接続部が第２バスバーの電源接続部を跨いで、該第１バスバーの電源接続部の内面側に第２バスバーの電源接続部を位置させない構成としている電気接続箱。
【請求項２】
前記第１バスバーと第２バスバーを専用ケース内にそれぞれ収容し、該専用ケースから前記第１、第２バスバーの電源接続部を突出させた第１カセットと第２カセットとして設け、該第１、第２カセットを前記ケース内部に着脱自在に収容している請求項１に記載の電気接続箱。
【発明の詳細な説明】
【技術分野】
【０００１】
本発明は、電気接続箱に関し、詳しくは、電気接続箱のケース内部に収容する複数のバスバーを正規位置に挿入し、これらバスバーの電源接続部同士を当接させて電線端末の端子とボルト締め接続するものにおいて、バスバーの誤挿入による電源接続部同士の接触不良を防止するものである。
【背景技術】
【０００２】
従来、自動車に搭載する電気接続箱のケース内部には、内部回路として導電性金属板を打ち抜き加工して所要形状に形成したバスバーが収容されており、該バスバーの電源接続部に電源線端末に接続した端子を重ね合わせてボルト締めにより接続し、電気接続箱の内部回路と電源線とを接続している。
このような接続構造において、バスバーが正規位置に位置せずに電源線の端子と接続されると、接触不良が生じ、部分的な接触により局部的に発熱しやすくなる。
【０００３】
前記問題を解決するため、バスバーや端子の誤挿入を防止する接続構造が、特開平８−１１１１６５号（特許文献１）において提供されている。該接続構造は、図１３に示すように、電気接続箱１のケース２内に収容する第１バスバー３と、第２バスバー４と、ヒュージブルリンク５の端子部６とを重ね合わせてボルトＢで締付固定し接続している。
ケース２のバスバー収容孔２ａに第１バスバー３を収容した後、ケース２の下面側から第２バスバー４を挿入すると、第２バスバー４の先端が第１バスバー３に設けた突起３ａに当接し、該突起３ａにより第１バスバー３と第２バスバーとの隙間が部分的に閉鎖される。そして、ヒュージブルリンク収容部２ｂにヒュージブルリンク５を収容すると、ヒュージブルリンク５の端子部６が第１バスバー３の突起３ａと干渉して第１バスバー３と第２バスバー４との間に誤挿入されることなく、確実に正規挿入位置である第２バスバー４の図中右側に挿入される。
よって、第１バスバー３、第２バスバー４、ヒュージブルリンク５の順でケース２内に収容していくため、ヒュージブルリンク５の誤挿入を防止することができる。
【０００４】
しかしながら、ヒュージブルリンク５の内部の溶断部が過電流によって溶断した場合には、ヒュージブルリンク５を取り外して部品交換をする必要があり、ヒュージブルリンク５と共に第１バスバー３や第２バスバー４が取り外される恐れがある。ヒュージブルリンクの交換後に、再び第１バスバー３、第２バスバー４、ヒュージブルリンク５をケース２内に挿入するとき、挿入順序が前記順序と異なると、例えば、第２バスバー４よりもヒュージブルリンク５が先に挿入されると、第１バスバー３と第２バスバー４との間にヒュージブルリンク５の端子部６が挿入される等して、誤挿入が生じるおそれがある。
よって、前記バスバーやヒュージブルリンクの挿入順序を正規順序と異なって挿入された場合に、確実に誤挿入であることが分かるようにすることが好ましい。
また、特許文献１に示す構造では、ヒュージブルリンク５の端子部６の誤挿入は防止できるが、第２バスバー４を第１バスバー３の図中左側に誤挿入する恐れもある。
【特許文献１】特開平８−１１１１６５号公報
【発明の開示】
【発明が解決しようとする課題】
【０００５】
本発明は前記問題に鑑みてなされたものであり、ケース内部に収容するバスバーを誤挿入することなく確実に正規位置に挿入して、バスバーの電源接続部同士の接触不良を防止することを課題としている。
【課題を解決するための手段】
【０００６】
前記課題を解決するため、本発明は、電気接続箱のケース内部に、細幅としたヒューズ部を一体的に設けた第１バスバーと第２バスバーを備え、前記第１バスバーはＬ形状に屈曲させた先端側にボルト穴を穿設した電源接続部を設けている一方、第２バスバーのボルト穴を穿設した電源接続部は前記第１バスバーの電源接続部の外面側に重ねられ、電源線に接続された端子とボルト締め結合されるものであって、
前記第２バスバーの電源接続部の両面に当接して挟持固定するリブを前記ケース内部に一体的に突設し、もしくは、前記第１バスバーの電源接続部が当接される前記第２バスバーの電源接続部の当接面に当接するリブを前記ケース内部に一体的に突設すると共に、前記第２バスバーの上端を前記当接面と反対側に屈曲させ、
第２バスバーが前記ケース内部に先入れされた状態で第１バスバーをケース内部に挿入する際に、該第１バスバーの電源接続部が第２バスバーの電源接続部を跨いで、該第１バスバーの電源接続部の内面側に第２バスバーの電源接続部を位置させない構成としている電気接続箱を提供している。
【０００７】
本発明の電気接続箱は、まず、第１バスバーを電気接続箱のケース内部に挿入した後、第２バスバーの電源接続部を第１バスバーの電源接続部の外面に沿わせるようにして挿入し、ボルト締めにより締結して接続するものである。
しかしながら、第１バスバーに過電流が流れてヒューズ部が溶断した場合に、第１バスバーのみをケース内部から抜き出して取り外し、第２バスバーがケース内部に先入れされた状態でヒューズ部が溶断していない第１バスバーを挿入すると誤挿入が生じうる。
即ち、先端の電源接続部を下方に屈曲させてＬ形状にしている第１バスバーを先にケース内部に収容した状態で第２バスバーをケース内部に挿入すると、誤挿入することなく第２バスバーの電源接続部を第１バスバーの電源接続部の外面側に沿わせて挿入することができる。しかし、前記のように第２バスバーがケース内部に先に収容された状態で第１バスバーをケース内部に挿入すると、第１バスバーの電源接続部が第２バスバーの電源接続部を跨いだ状態で誤挿入され、第１バスバーの電源接続部の内面側に第２バスバーの電源接続部が配置されるおそれがある。
本発明の電気接続箱は、このようなバスバーの誤挿入を防止するものである。
【０００８】
具体的な第１の構成は、第２バスバーの電源接続部の両面に当接して挟持固定するリブをケース内部に一体的に突設することで、第２バスバーが第１バスバーの挿入位置側に位置ズレしないようにしている。かつ、第１バスバーの電源接続部が第２バスバーの電源接続部を跨いで挿入されそうになると、第１バスバーの電源接続部の先端が前記リブに干渉して挿入できないようにしている。これにより第１バスバーの誤挿入を確実に防止できる。
第２の構成では、第１バスバーの電源接続部が当接される第２バスバーの電源接続部の当接面に当接するリブを前記ケース内部に一体的に突設して、前記第１の構造と同様、第２バスバーが第１バスバーの挿入位置側に位置ズレしないようにしている。かつ、第１バスバーの電源接続部が第２バスバーの電源接続部を跨いで挿入されそうになると、第１バスバーの電源接続部の先端が第２バスバーの上端を前記当接面と反対側に屈曲させた部分に干渉して挿入できないようにしている。
前記いずれの構造によっても、第１バスバーの誤挿入が防止され、第１バスバーの電源接続部と第２バスバーの電源接続部との接触不良が防止できると共に、部分的な接触による局部的な発熱を防止することができる。
【０００９】
前記第１バスバーと第２バスバーを専用ケース内にそれぞれ収容し、該専用ケースから前記第１、第２バスバーの電源接続部を突出させた第１カセットと第２カセットとして設け、該第１、第２カセットを前記ケース内部に着脱自在に収容することが好ましい。
即ち、第１バスバーを備えた第１カセットと、第２バスバーを備えた第２カセットを設け、２つの第１、第２カセットを電気接続箱のケース内部に収容している。これらカセットは１つのケース本体内に第１バスバーと第２バスバーを収容しても同様のカセットを形成することができるが、カセットと該カセットと接続する相手方コネクタとの挿入力及び離脱力を低減するため、カセットを２つに分割している。よって、出力端子部が多いカセットを収容する電気接続箱に本発明の構成が好適に採用される。
また、カセットを２つに分割しておけば、第１バスバーと第２バスバーのうち一方のヒューズ部が溶断した場合、ヒューズ部が溶断したバスバーを備えたカセットだけを交換するだけでよい。
【発明の効果】
【００１０】
前述したように、本発明によれば、電気接続箱のケース内部に第１バスバーと第２バスバーを挿入して互いの電源接続部を沿わせてボルト締めにより接続する構造において、ケース内部に一体的に設けたリブや第２バスバーに設けた誤挿入防止構造によって、第１バスバーの挿入位置が規制され、第１バスバーの誤挿入を防止することができるため、第１バスバーの電源接続部と第２バスバーの電源接続部との接触不良を防止できると共に、部分的な接触による局部的な発熱を防止することができる。
【発明を実施するための最良の形態】
【００１１】
本発明の実施形態を図面を参照して説明する。
図１乃至図７は、本発明の第１実施形態を示し、電気接続箱１０のケース上面には２つのカセット収容部１１Ａ、１１Ｂを並設しており、該カセット収容部１１Ａ、１１Ｂに第１カセット２０と第２カセット３０をそれぞれ収容している。
【００１２】
前記第１カセット２０には第１バスバー２２と第３バスバー２３とを収容し、第２カセット３０に第２バスバー３２を収容している。これら第１〜第３バスバー２２、２３、３２にはいずれも細幅溶断部２２ａ、２３ａ、３２ａを一体的に設けている。これらヒューズ部は大容量のヒューズ部、いわゆるヒュージブルリンク部とし、ヒュージブルリンクをバスバーと一体的に設けたインテグレイテッド・ヒュージブルリンクとしている。
【００１３】
カセット収容部１１Ａに収容する第１カセット２０は、図３に示すように、樹脂製の専用ケース２１に、前記細幅溶断部（以下、ヒューズ部と称す）２２ａ、２３ａを一体的に設けた第１バスバー２２と第３バスバー２３を収容し、かつ、第１バスバー２２と第３バスバー２３の一端側の電源接続部２２ｂ、２３ｂを専用ケース２１から外方へ突出させている。
【００１４】
第１カセット２０の専用ケース２１の幅広方向の一側面の上端から、専用ケース２１に設けた貫通穴２１ａを通して第１バスバー２２の一端側を水平方向に突出させ、この突出部分の先端部を下方に向けて直角に屈曲させてＬ形状とし、屈曲させた部分にボルト穴２２ｃを穿設して電源接続部２２ｂ（以下、「第１電源接続部２２ｂ」と称す）としている。同様に、第３バスバー２３の一端側も専用ケース２１の他側面から水平方向に向けて突出し、この突出部分にボルト孔２３ｃを穿設して電源接続部２３ｂを設けている。
【００１５】
第１、第３バスバー２２、２３は専用ケース２１内で複数に分岐して分岐部２２ｄ、２３ｄを設け、所要の分岐部２２ｄ、２３ｄにヒューズ部２２ａ、２３ａを設け、分岐部２２ｄ、２３ｄの他端側を出力端子部２２ｅ、２３ｅとして、専用ケース２１の下面に設けたコネクタ嵌合部２１ｂ内に突出させている。本実施形態では、出力端子部２２ｅ、２３ｅをそれぞれ３つずつ設けている。
なお、ヒューズ部２２ａ、２３ａは、第１、第３バスバー２２、２３の所要の分岐部２２ｄ、２３ｄにのみ設けている。また、専用ケース２１のヒューズ部２２ａ、２３ａに対向する位置に窓部２１ｃを設けて、該窓部２１ｃを通してヒューズ部２２ａ、２３ａの溶断状態を外部から目視できるようにしている。
【００１６】
カセット収容部１１Ｂに収容する第２カセット３０は、図４に示すように、樹脂製の専用ケース３１にヒューズ部３２ａを設けた第２バスバー３２を収容し、第２バスバー３２の一端側をケース本体３１の幅狭方向の一側面から突出させている。該突出部分にはボルト穴３２ｃを穿設して電源接続部３２ｂ（以下、「第２電源接続部３２ｂ」と称す）を設けている。該第２電源接続部３２ｂは垂直方向に延在し、第１、第２カセット２０、３０をそれぞれカセット収容部１１Ａ、１１Ｂに収容すると、第２電源接続部３２ｂが第１電源接続部２２ｂの外面２２ｂ−１側に重ねられるように設定している。
【００１７】
第２バスバー３２にも専用ケース３１内で複数に分岐して分岐部３２ｄを設け、所要の分岐部３２ｄに細幅としたヒューズ部３２ａを設け、分岐部３２ｄの他端側を出力端子部３２ｅとして、専用ケース３１の下面に設けたコネクタ嵌合部３１ｂ内に突出させている。また、専用ケース３１にもヒューズ部３２ａに対向する位置に窓部３１ｃを設けている。
なお、本実施形態では、４つの出力端子部３２ｅを設けている。
【００１８】
前記第２カセット３０を収容するカセット収容部１１Ｂは、第２カセット３０の専用ケース３１を部分的に囲む側壁部１２と、第２電源接続部３２ｂを上下方向にスライドさせる凹部１３ａを設けた断面略コ字状のガイド部１３を備えている。該ガイド部１３の凹部１３ａ内には、ガイド部１３に挿入した第２電源接続部３２ｂが、第１電源接続部２２ｂの挿入部１６側（図２中の上方側）へ移動するのを規制するリブ１４を設けている。該リブ１４は、第１電源接続部２２ｂの挿入の邪魔にならないよう、第１電源接続部２２ｂの挿入部１６の側方（図２中の右側）に設けており、第２電源接続部３２ｂの第１電源接続部２２ｂとの当接面３２ｂ−１に当接させている。
【００１９】
一方、第２電源接続部３２ｂの当接面３２ｂ−１と反対側の反対面３２ｂ−２側には、電気接続箱１０のケースより２本のリブ１５を突設している。該リブ１５は、第２電源接続部３２ｂの反対面３２ｂ−２に当接させており、前記リブ１４とリブ１５とで第２電源接続部３２ｂを挟持固定している。また、リブ１５は、第２電源接続部３２ｂを挟んで、第１電源接続部２２ｂの挿入部１６に対向する位置に設けている。
【００２０】
よって、カセット収容部１１Ｂに第２カセット３０を先入れした状態で、カセット収容部１１Ａに第１カセット２０を挿入する際、第１カセット２０の第１電源接続部２２ｂが挿入部１６に挿入されると、図５（Ｃ）に示すように、該第１電源接続部２２ｂに前記リブ１４、１５が干渉せずに正規挿入位置まで挿入され、第１電源接続部２２ｂの外面２２ｂ−１と第２電源接続部３２ｂの当接面３２ｂ−１が当接した状態で収容される。
【００２１】
一方、図５（Ｂ）に示すように、第１電源接続部２２ｂが第２電源接続部３２ｂを跨いで第２電源接続部３２ｂの反対面３２ｂ−２側に誤挿入されそうになると、第１電源接続部２２ｂの先端にリブ１５が干渉して、第１電源接続部２２ｂがそれ以上挿入されないようにして誤挿入を防止している。
なお、図５においては、後述する端子収容部１７及び該端子収容部１７に収容する電源線端末の端子４０の図示を省略している。
【００２２】
カセット収容部１１Ａと１１Ｂの間で、かつ、カセット収容部１１Ａに収容した第１カセット２０の第１電源接続部２２ｂの内面２２ｂ−２に対向する位置に、電源線ｗ１の端末に接続した端子４０を収容する端子収容部１７を設けている。該端子収容部１７は、第１電源接続部２２ｂの挿入部１６側を開口１７ａとし、該端子収容部１７に端子４０を収容すると、図６に示すように、該端子４０が第１電源接続部２２ｂの内面２２ｂ−２側に重ねられる。
【００２３】
即ち、第２電源接続部３２ｂ、第１電源接続部２２ｂ、電源線ｗ１端末の端子４０が順に重ねられ、第２、第１電源接続部３２ｂ、２２ｂと端子４０のボルト穴３２ｃ、２２ｃ、４０ａにボルトＢを通して、該ボルトＢと端子収容部１７内に埋設したナットＮにより第２、第１電源接続部３２ｂ、２２ｂと端子４０を締結固定し接続している。
なお、端子収容部１７には、端子４０をスライド挿入させる溝（図示せず）を設けており、該溝に沿って挿入された端子４０が第１電源接続部２２ｂの挿入部１６側に移動しないようにしている。
また、第１カセット２０の第３バスバー２３の一端に設けた電源接続部２３ｂにも他の電源線端末に接続した端子（図示せず）を重ね合わせて、ボルトとナットにより締結固定して接続している。
【００２４】
第１、第２カセット２０、３０の専用ケース２１、３１の下面側に設けたコネクタ嵌合部２１ｂ、３１ｂには、図７に示すように、電線群ｗ２、ｗ３の一端に接続したコネクタ４１、４２を嵌合し、第１、第２、第３バスバー２２、２３、３２の出力側端子２２ｅ、２３ｅ、３２ｅをコネクタ４１、４２内の端子（図示せず）と接続している。該電線群ｗ２、ｗ３の他端に接続したコネクタ４３、４４は、直接車両に搭載する電装品に接続するか、もしくは、電気接続箱１０のケース下面に設けたコネクタ嵌合部１８に嵌合して電気接続箱１０の他のバスバーからなる内部回路と接続している。
なお、第１、第２、第３バスバー２２、２３、３２は、電線群ｗ２、ｗ３を介さずに直接電気接続箱１０内の内部回路と接続してもよい。
【００２５】
前記構成によれば、第２カセット３０を電気接続箱１０に先入れした状態で、第１カセット２０をカセット収容部１１Ａに挿入しても、リブ１４により第２電源接続部３２ｂが第１電源接続部２２ｂの挿入部１６側に位置ズレしないようにして第１電源接続部２２ｂが第２電源接続部３２ｂを跨ぎにくくすることができる。
さらに、それでも第１電源接続部２２ｂが第２電源接続部３２ｂを跨いで誤挿入されそうになると、第１電源接続部２２ｂの先端がリブ１５に干渉して挿入できないようにしているため、第１電源接続部２２ｂが第２電源接続部３２ｂを跨いで誤挿入されるのを防止することができる。
これにより、第１電源接続部２２ｂと第２電源接続部３２ｂとの接触不良を防止できると共に、部分的な接触による局部的な発熱を防止することができる。
【００２６】
なお、本実施形態では、第１、第２バスバー２２、３２を専用ケース２１、３１に収容した第１、第２カセット２０、３０として電気接続箱１０のケース内部に収容しているが、第１、第２バスバー２０、３０を専用ケースに収容せずに、直接電気接続箱のケース内部に収容する構成としてもよい。
【００２７】
図８乃至図１０は本発明の第２実施形態を示す。
本実施形態では、第２カセット３０の第２電源接続部３２ｂの形状を第１実施形態と相違させている。即ち、第２カセット３０の第２電源接続部３２ｂは、その上端全体を第１カセット２０とは反対側に直角に屈曲させて、一体的に屈曲部３２ｂ−３を設けている。なお、本実施形態では、第２電源接続部３２ｂの当接面３２ｂ−１側に第１実施形態と同様のリブ１４を設けているが、反対面３２ｂ−２側にはケースより突設するリブ（第１実施形態のリブ１５）を設けていない。
【００２８】
前記構成としても、第２カセット３０を電気接続箱１０に先入れした状態で、第１カセット２０をカセット収容部１１Ａに挿入し、第１電源接続部２２ｂが第２電源接続部３２ｂを跨いで誤挿入されそうになると、第１電源接続部２２ｂの先端が第２電源接続部３２ｂの屈曲部３２ｂ−３に干渉して挿入できないようにしているため、第１電源接続部２２ｂが第２電源接続部３２ｂを跨いで誤挿入されるのを防止することができる。
なお、他の構成及び作用効果は第１実施形態と同様のため、同一の符号を付して説明を省略する。
【００２９】
図１１及び図１２は、第２実施形態の変形例を示し、第２電源接続部３２ｂの屈曲部３２ｂ−３を第２電源接続部３２ｂの上端全域に設けず、部分的に設けている。詳細には、第２電源接続部３２ｂの先端側と専用ケース３１からの突出部分近傍、即ち、電源接続部３２ｂの両端に屈曲部３２ｂ−３を設けている。
なお、屈曲部３２ｂ−３は第２電源接続部３２ｂの両端に限らず、第２電源接続部３２ｂを跨いで誤挿入される第１電源接続部２２ｂの先端に当接する位置であればいずれの位置であってもよい。
【図面の簡単な説明】
【００３０】
【図１】本発明の第１実施形態を示し、第２カセットを先入れした状態で、第１カセットをカセット収容部に挿入する状態を示す斜視図である。
【図２】カセット収容部に第１、第２カセットを収容した状態を示す平面図である。
【図３】第１カセットの正面図である。
【図４】第２カセットの正面図である。
【図５】（Ａ）は第２カセットを先入れした状態で第１カセットを挿入する状態を示す概略図、（Ｂ）は第１カセットの第１電源接続部の誤挿入を防止している状態を示す概略図、（Ｃ）は第１カセットの第１電源接続部を正規位置に挿入した状態を示す概略図である。
【図６】電源線端末に接続した端子と第１電源接続部と第２電源接続部とをボルト締めにより接続した状態を示す図面である。
【図７】電気接続箱の概略図である。
【図８】本発明の第２実施形態を示し、第２カセットを先入れした状態で、第１カセットをカセット収容部に挿入する状態を示す斜視図である。
【図９】カセット収容部に第１、第２カセットを収容した状態を示す平面図である。
【図１０】第１カセットの電源接続部の誤挿入を防止している状態を示す概略図である。
【図１１】第２実施形態の変形例の第２電源接続部の斜視図である。
【図１２】カセット収容部に第１、第２カセットを収容した状態を示す平面図である。
【図１３】従来例を示す図面である。
【符号の説明】
【００３１】
１０  電気接続箱
１１Ａ、１１Ｂ  カセット収容部
１３  ガイド部
１４、１５  リブ
１６  第１電源接続部の挿入部
１７  端子収容部
２０  第１カセット
２１  ケース本体
２２  第１バスバー
２２ａ  ヒューズ部
２２ｂ  第１電源接続部
２２ｂ−１  外面
３０  第２カセット
３１  ケース本体
３２  第２バスバー
３２ａ  ヒューズ部
３２ｂ  第２電源接続部
ｗ１  電源線
【図１】
2006042499.tif 000003
【図２】
2006042499.tif 000004
【図３】
2006042499.tif 000005
【図４】
2006042499.tif 000006
【図５】
2006042499.tif 000007
【図６】
2006042499.tif 000008
【図７】
2006042499.tif 000009
【図８】
2006042499.tif 000010
【図９】
2006042499.tif 000011
【図１０】
2006042499.tif 000012
【図１１】
2006042499.tif 000013
【図１２】
2006042499.tif 000014
【図１３】
2006042499.tif 000015